【手続補正書】
【提出日】平成22年4月1日(2010.4.1)
【手続補正１】
【補正対象書類名】特許請求の範囲
【補正対象項目名】全文
【補正方法】変更
【補正の内容】
【特許請求の範囲】
【請求項１】
ａ）
ａ1）イソシアネート基に対して反応性の１つ以上の水酸基と、イソシアネート基に対して実質的に不活性な１つ以上のエポキシド基を有し、１００〜５００ｇ／ｅｑのエポキシド当量および５０〜１０００ダルトンの分子量を有するヒドロキシ官能性エポキシアルコールおよび／またはグリシジルエーテルからなる５〜３００質量部の官能性低分子量ポリオール成分（Ａ）（ｉ）、
イソシアネート基に対して反応性の１つ以上の水酸基と、イソシアネート基に対して実質的に不活性な１つ以上のエポキシド基を有し、１３０〜３０００ｇ／ｅｑのエポキシド当量および２５０〜２５００ダルトンの分子量を有する０〜３００質量部の官能性高分子量（ポリマー）ポリオール成分（Ａ）（ｉｉ）を、
２つ以上の（シクロ）脂肪族および／または芳香族イソシアネート基を有し、１００〜２５００ダルトンの分子量を有する少なくとも１つのジイソシアネート、ポリイソシアネート、ポリイソシアネート誘導体またはポリイソシアネート同族体からなる５〜５００質量部のポリイソシアネート成分（Ｂ）と、任意に、ポリイソシアネートとの重付加反応に通例の触媒成分（Ｋ）（ｉ）０．０１〜０．５質量部の存在下で反応させ、成分（Ａ）（ｉ）および（Ｂ）の混合物を成分（Ａ）（ｉｉ）と同時にまたは段階的のいずれかで反応させ、そして任意に、該反応混合物に
イソシアネート基に対して反応性の１つ以上の水酸基を有し、５０〜５００ダルトンの分子量を有する、０〜２００質量部の低分子量ポリオール成分（Ａ）（ｉｉｉ）、
イソシアネート基に対して反応性の１つ以上の水酸基と、イソシアネート基に対して不活性な１つ以上のカルボキシル基および／またはホスホン酸基および／またはスルホネート基、および／またはポリアルキレンオキサイド基および／またはパーフルオロアルキル基を有し、５０〜２５００ダルトンの分子量を有する０〜５００質量部の官能性低分子量ポリオール成分（Ａ）（ｉｖ）、および
イソシアネート基に対して反応性の１つ以上の水酸基を有し、５００〜５０００ダルトンの分子量を有する、０〜８００質量部の高分子量（ポリマー）ポリオール成分（Ａ）（ｖ）、
イソシアネート基に対して実質的に不活性な１つ以上のエポキシド基を有し、１３０〜４００ｇ／ｅｑのエポキシド当量および５０〜１０００ダルトンの分子量を有する少なくとも１つの（水性）エポキシ樹脂からなる０〜６００質量部の反応性希釈剤成分（Ｃ）、および
０〜５０質量部の凝集助剤成分（Ｄ）、
反応性および／または不活性充填剤、顔料、担体材料、ナノ材料、ナノ複合体、他の添加剤、可塑剤、溶媒および水からなる５〜９００質量部の配合成分（Ｆ）（ｉ）
を加え、そして
ａ2）任意に、工程ａ1）からのプレポリマーを、０〜９００質量部の水中に乳化または分散させ、および任意に配合成分（Ｆ）（ｉ）を加えて
１００〜１２５００ｇ／ｅｑのエポキシド当量、２００〜２５０００ダルトンの平均分子量、１０００〜１５００００ｍＰａ・ｓの粘度（２０((Ｃ、Ｂｒｏｏｋｆｉｅｌｄ）を有するエポキシ官能性（水性）結合剤成分（Ｉ）を製造すること、および
ｂ）
純粋な（ポリマー）ポリアミン、ポリアスパラギン酸エステル、アルジミンおよび／またはケチミンおよび／またはエナミンおよび／またはオキサゾリジンを基剤とする潜在性硬化剤または反応性希釈剤、分解産物を含まないアゼチジンおよび／またはジアゼピンおよび／またはアンモニウム塩を基剤とする潜在性硬化剤、市販の液体アミン硬化配合物またはそれらの適した組み合わせの形態で、エポキシド基に対して反応性の１つ以上の（シクロ）脂肪族および／または芳香族１級および／または２級アミノ基と、任意に１つ以上の水酸基を有し、６０〜５０００ダルトンの分子量を有する１つ以上の（ポリマー）ポリアミンからなる、１０〜９００質量部の（ポリマー）ポリアミン成分（Ｅ）、
反応性および／または不活性充填剤、顔料、担体材料、ナノ材料、他の添加剤、可塑剤、溶媒および水からなる１０〜９００質量部の配合成分（Ｆ）（ｉｉ）、および
エポキシ樹脂との重付加反応に通例の０．０１〜０．５質量部の硬化促進剤成分（Ｋ）（ｉｉ）を化合して
（潜在的に）アミノ官能性硬化成分（ＩＩ）を製造すること
によって、得られる改善された加工特性および改善された性質特性を有する２成分（水性）ハイブリッド反応性樹脂系。
【請求項２】
成分（Ａ）（ｉ）が、グリシドールおよび／またはグリセリルジグリシジルエーテルおよび／またはエピクロロヒドリンで部分エーテル化された（シクロ）脂肪族および／または芳香族ポリオール、または単および多官能性グリシジルエーテルを含むことを特徴とする、請求項１に記載のハイブリッド反応性樹脂系。
【請求項３】
成分（Ａ）（ｉｉ）が、エポキシ化およびアルコールで（部分）開環された（不）飽和トリグリセリドを含むことを特徴とする、請求項１または２までのいずれか１項に記載のハイブリッド反応性樹脂系。
【請求項４】
成分（Ａ）（ｉｉｉ）が、１，４−ブタンジオールおよび／または２−メチル−１，３−プロパンジオールおよび／または２，２−ジメチル−１，３−プロパンジオールおよび／または一般式（Ｉ）：
【化１】
2009532541.tif 000001
［式中、ｎ＝３〜４８］
の５〜５０個の炭素原子を有する１，２−ジヒドロキシアルカンジオール、および／または
一般式（ＩＩ）：
【化２】
2009532541.tif 000002
［式中、ｎ＝３〜４８］
のアルキレン１−オキサイドのＮ−メチルエタノールアミンまたはエタノールアミンまたはジエタノールアミン、または１級または２級アミノ基と１つ以上の水酸基を有する他の化合物との反応生成物、および／または
一般式（ＩＩＩ）：
【化３】
2009532541.tif 000003
［式中、ｎ＝３〜５０］
の５〜５０個の炭素原子を有するα，ω−ジヒドロキシアルカンジオールを含むことを特徴とする、請求項１から３までのいずれか１項に記載のハイブリッド反応性樹脂系。
【請求項５】
成分（Ａ）（ｉｖ）が、
（ｉ）ジメチロールプロピオン酸などのビスヒドロキシアルカンカルボン酸
および／または
（ｉｉ）単官能性アルキル／シクロアルキル／アリールポリアルキレングリコール、ジイソシアネートおよびジアルカノールアミンのジヒドロキシ官能性反応生成物
および／または
（ｉｉｉ）１〜９９質量％のポリマー結合フッ素含有量および１００〜１００００ダルトンの分子量を有し、主鎖中および／または側鎖中および／または側面におよび／または末端に化学的に配置し、一般式（ＩＶ）：
【化４】
2009532541.tif 000004
［式中、ｎ≧３］
および／または一般式（Ｖ）：
【化５】
2009532541.tif 000005
［式中、ｎ≧３で、Ｒ＝Ｆ、ＣＦ3］
の構造要素を含有し、各場合、１つ以上の（シクロ）脂肪族および／または芳香族１級および／または２級アミノ基および／または水酸基および／またはメルカプト基、好ましくはパーフルオロアルキルアルコール、ジイソシアネートとジアルカノールアミンのジヒドロキシ官能性反応生成物を有するアミノおよび／またはヒドロキシおよび／またはメルカプト官能性フルオロ変性マクロモノマーまたはテレケリック構造
を含むことを特徴とする、請求項１から４までのいずれか１項に記載のハイブリッド反応性樹脂系。
【請求項６】
成分（Ａ）（ｖ）が、（疎水変性）ポリアルキレングリコール、（不）飽和脂肪族および／または芳香族ポリエステル、ポリカプロラクトン、ポリカーボネート、α，ω−ポリブタジエンポリオール、α，ω−ポリメタクリレートジオール、α，ω−ポリスルフィドジオール、α，ω−ジヒドロキシアルキルポリジメチルシロキサン、ヒドロキシ官能性エポキシ樹脂、ヒドロキシ官能性ケトン樹脂、アルキド樹脂、ダイマー脂肪酸ジアルコール、ビスエポキシドおよび（不）飽和脂肪酸を基剤とする反応生成物、さらにヒドロキシ官能性マクロモノマーおよびテレケリック構造、グリセロールと飽和および／または不飽和で、任意に１〜３０個の炭素原子を有し、ｆOH≧２の官能性を有するヒドロキシ官能性脂肪酸のモノおよび／またはジおよび／またはトリエステル、またはそれらのブレンドまたはハイブリッドポリマーなどの適した組み合わせを含むことを特徴とする、請求項１から５までのいずれか１項に記載のハイブリッド反応性樹脂系。
【請求項７】
成分（Ｂ）が、ビス（４−イソシアナトフェニル）メタン（ＭＤＩ）およびそれらの高級同族体（ポリマーＭＤＩ）および誘導体および／または２，４−トルエンジイソシアネートおよび／または２，６−トルエンジイソシアネートおよび／またはイソホロンジイソシアネートまたは個々の脂肪族および／または芳香族ポリイソシアネートの工業用異性体混合物および／またはアロファネート基、ビウレット基、カルボジイミド基、イソシアヌレート基、オキサジアジントリオン基、ウレトジオン基またはウレタン基を有し、ビス（４−イソシアナトシクロヘキシル）メタン（Ｈ12ＭＤＩ）、１，６−ジイソシアナトヘキサン（ＨＤＩ）、１−イソシアナト−５−イソシアナトメチル−３，３，５−トリメチルシクロヘキサン（ＩＰＤＩ）を基剤とする（親水変性）「塗料ポリイソシアネート」を含むことを特徴とする、請求項１から６までのいずれか１項に記載のハイブリッド反応性樹脂系。
【請求項８】
成分（Ｃ）が、エピクロロヒドリンで完全にエーテル化された（シクロ）脂肪族および／または芳香族ポリオールまたは単および多官能性グリシジルエーテル、またエピクロロヒドリンで部分エーテル化されたポリオールまたはヒドロキシ官能性単および多官能性グリシジルエーテルを含有する工業製品も含むことを特徴とする、請求項１から７までのいずれか１項に記載のハイブリッド反応性樹脂系。
【請求項９】
成分（Ｄ）が、Ｎ−エチルピロリドンおよび／またはＮ−メチルピロリドンおよび／またはジプロピレングリコールジメチルエーテルおよび／またはアジピン酸ジアルキルおよび／または環状アルキレンカーボネートなどの高沸点溶媒を含むことを特徴とする、請求項１から８までのいずれか１項に記載のハイブリッド反応性樹脂系。
【請求項１０】
成分（Ｅ）が、エチレンジアミンおよび／または使える状態に配合され、脂肪族および／または芳香族ポリアミンおよび／またはポリアミドアミンを基剤とする液体エポキシ樹脂硬化剤を含むことを特徴とする、請求項１から９までのいずれか１項に記載のハイブリッド反応性樹脂系。
【請求項１１】
配合成分（Ｆ）（ｉ）および（Ｆ）（ｉｉ）が、セメント、酸化カルシウム、水酸化カルシウムまたは硫酸カルシウムからなる群から選択される反応性無機充填剤、（官能性）無機および／または有機充填剤および／または水不活性な軽質充填剤、（官能性）無機および／または有機顔料、（官能性）無機および／または有機担体材料、（官能性）無機および／または有機ナノ材料、（官能性）無機および／または有機ナノ複合体、無機および／または有機繊維、グラファイト、カーボンブラック、炭素繊維、カーボンナノチューブ、金属繊維および金属粉末、導電性有機ポリマー、再分散可能なポリマー粉末または超吸収材、または消泡剤、脱気剤、潤滑レベリング添加剤、基板湿潤添加剤、湿潤分散添加剤、撥水剤、レオロジー添加剤、凝集助剤、艶消剤、接着促進剤、不凍液、酸化防止剤、ＵＶ安定剤、殺生剤からなる群から選択される他の添加剤、またはフタル酸ジアルキル、アジピン酸ジアルキル、バイオディーゼルおよび菜種油メチルエステルからなる群から選択される可塑剤からなることを特徴とする、請求項１から１０までのいずれか１項に記載のハイブリッド反応性樹脂系。
【請求項１２】
成分（Ｋ）（ｉ）として、酸化ジブチルスズ、ジラウリン酸ジブチルスズ（ＤＢＴＬ）、トリエチルアミン、オクタン酸スズ（ＩＩ）、１，４−ジアザビシクロ［２，２，２］オクタン（ＤＡＢＣＯ）、１，４−ジアザビシクロ［３，２，０］−５−ノネン（ＤＢＮ）、１，５−ジアザビシクロ［５，４，０］−７−ウンデセン（ＤＢＵ）、例えば、ＪＥＦＦＣＡＴ（登録商標）アミン触媒などのモルホリン誘導体が使用され、かつ／または成分（Ｋ）（ｉｉ）として、ベンジルジメチルアミンおよび／または４−Ｎ，Ｎ−ジメチルアミノフェノールおよび／または２，４，６−トリス（Ｎ，Ｎ−ジメチルアミノメチル）フェノールおよび／または２−メチルイミダゾールおよび／または２−フェニルイミダゾールおよび／または他の適した３級アミンが使用されることを特徴とする、請求項１から１１までのいずれか１項に記載のハイブリッド反応性樹脂系。
【請求項１３】
ａ）
ａ1）成分（Ａ）（ｉ）、（Ａ）（ｉｉ）および（Ｂ）を、任意に成分（Ｋ）（ｉ）の存在下で反応させ、成分（Ａ）（ｉ）および（Ｂ）の混合物を成分（Ａ）（ｉｉ）と同時にまたは段階的のいずれかで反応させ、任意に反応混合物に成分（Ａ）（ｉｉｉ）、（Ａ）（ｉｖ）、（Ａ）（ｖ）、（Ｃ）および（Ｄ）も加え、そして
ａ2）工程ａ1）からのプレポリマーを任意に水中に乳化または分散させ、任意に配合成分（Ｆ）（ｉ）を加える
ことによってエポキシ官能性（水性）結合剤成分（Ｉ）を製造すること、および
ｂ）
成分（Ｅ）、（Ｆ）（ｉｉ）および（Ｋ）（ｉｉ）を所望の順に化合することによって（潜在的に）アミノ官能性硬化成分（ＩＩ）を製造すること
を特徴とする、請求項１から１２までのいずれか１項に記載の２成分（水性）ハイブリッド反応性樹脂系の製造方法。
【請求項１４】
工程ａ）における成分（Ａ）および（Ｂ）のＮＣＯ／ＯＨ当量比が、１．２〜２．５、好ましくは１．３〜２．０に調整されることを特徴とする、請求項１３に記載の方法。
【請求項１５】
成分（Ｉ）および（ＩＩ）からなる２成分塗料系の固形分が、１０〜１００質量％、好ましくは２５〜７５質量％に調整されることを特徴とする、請求項１２から１４までのいずれか１項に記載の方法。
【請求項１６】
コンクリート、セメント、石灰、石膏、硬セッコウ、ジオポリマー、ガラス、木材、木材系材料、複合材料、人工および天然石、プラスチックおよびガラス繊維強化プラスチック（ＧＲＰ）、金属およびポリマーを基材とする無機質および非無機質表面に対して、耐薬品性で、耐熱性かつ耐磨耗性で、高い機械的耐力を有し、洗浄が容易な塗料系の製造のための建設部門および産業部門における、請求項１から１２までのいずれか１項に記載の２成分（水性）ハイブリッド反応性樹脂系の使用。
【請求項１７】
耐薬品性で、耐熱性かつ耐磨耗性で、高い機械的耐力を有し、洗浄が容易で、任意に下塗剤、および耐光性でなく、任意にサンドペーパーで磨かれる少なくとも１つの下塗りからなり、そして任意に耐光性で任意にフルオロ変性され、任意にサンドペーパーで磨かれる上塗りからなる塗料系の製造のための建設部門および産業部門における、請求項１６に記載の使用。
【請求項１８】
エポキシ官能性（水性）結合剤成分（Ｉ）および（潜在的に）アミノ官能性硬化成分（ＩＩ）を０．８〜１．２、好ましくは０．９〜１．１のエポキシド／アミノ当量比で混合して２成分塗料系を得ることを特徴とする、請求項１６または１７に記載の使用。